【手続補正書】
【提出日】平成17年4月1日(2005.4.1)
【手続補正１】
【補正対象書類名】明細書
【補正対象項目名】特許請求の範囲
【補正方法】変更
【補正の内容】
【特許請求の範囲】
【請求項１】
複合映像信号から色信号成分を抽出して色信号を出力する色信号抽出手段と、上記複合映像信号から上記色信号を減算して輝度信号を出力する輝度信号抽出手段と、上記複合映像信号からライン相関周波数の２分の１付近で、かつ色搬送周波数の３分の２付近の色信号の水平高周波数成分を縦ドット周波数成分として検出する縦ドット周波数成分検出手段と、上記複合映像信号の所定周波数領域の成分を抽出して基準信号として出力する基準信号抽出手段と、上記色信号の水平高周波数成分と上記基準信号の成分とを比較する比較手段とを備え、
上記色信号抽出手段が、上記複合映像信号とライン遅延手段により遅延された複合映像信号から垂直方向の色副搬送波成分に相当する周波数成分を抽出する垂直方向色信号抽出手段と、上記垂直方向色信号抽出手段出力信号を入力し、水平方向の色副搬送波成分に相当する周波数成分を抽出する水平方向色信号抽出手段と、上記比較手段の出力が縦ドット周波数成分の方が多い状態を示すときには上記垂直方向色信号抽出手段出力信号側を選択し、多い状態を示さないときには上記水平方向色信号抽出手段出力信号側を選択する切り替え手段により構成されることを特徴とする輝度信号色信号分離回路。
【請求項２】
基準信号抽出手段は、上記縦ドット周波数成分検出手段と同じ遅延時間を付与する遅延手段により構成されることを特徴とする請求項１記載の輝度信号色信号分離回路。
【請求項３】
基準信号抽出手段は、上記水平方向色信号抽出手段の抽出する色信号より広い帯域を抽出し、上記縦ドット周波数成分検出手段と同じ遅延時間を付与する水平方向色信号抽出手段であることを特徴とする請求項１記載の輝度信号色信号分離回路。
【請求項４】
基準信号抽出手段は、垂直方向輝度信号成分を抽出する垂直方向輝度信号抽出手段と、水平方向輝度信号成分を抽出する水平方向輝度信号抽出手段と、上記抽出された垂直方向輝度信号成分と水平方向輝度信号成分の遅延時間を一致させた後これらを加算し輝度信号成分を出力する加算手段とを備えたことを特徴とする請求項１記載の輝度信号色信号分離回路。
【請求項５】
比較手段は、上記色信号の垂直高周波成分または上記基準成分に対して重み付けする乗数器を備えたことを特徴とする請求項１記載の輝度信号色信号分離回路。
【手続補正２】
【補正対象書類名】明細書
【補正対象項目名】００１７
【補正方法】変更
【補正の内容】
【００１７】
【課題を解決するための手段】
この発明に係る輝度信号色信号分離回路は、複合映像信号から色信号成分を抽出して色信号を出力する色信号抽出手段と、上記複合映像信号から上記色信号を減算して輝度信号を出力する輝度信号抽出手段と、上記複合映像信号からライン相関周波数の２分の１付近で、かつ色搬送周波数の３分の２付近の色信号の水平高周波数成分を縦ドット周波数成分として検出する縦ドット周波数成分検出手段と、上記複合映像信号の所定周波数領域の成分を抽出して基準信号として出力する基準信号抽出手段と、上記色信号の水平高周波数成分と上記基準信号の成分とを比較する比較手段とを備え、上記色信号抽出手段が、上記複合映像信号とライン遅延手段により遅延された複合映像信号から垂直方向の色副搬送波成分に相当する周波数成分を抽出する垂直方向色信号抽出手段と、上記垂直方向色信号抽出手段出力信号を入力し、水平方向の色副搬送波成分に相当する周波数成分を抽出する水平方向色信号抽出手段と、上記比較手段の出力が縦ドット周波数成分の方が多い状態を示すときには上記垂直方向色信号抽出手段出力信号側を選択し、多い状態を示さないときには上記水平方向色信号抽出手段出力信号側を選択する切り替え手段により構成されることを特徴とする。
【手続補正３】
【補正対象書類名】明細書
【補正対象項目名】００１８
【補正方法】変更
【補正の内容】
【００１８】
また、基準信号抽出手段は、上記縦ドット周波数成分検出手段と同じ遅延時間を付与する遅延手段で構成されているものである。
【手続補正４】
【補正対象書類名】明細書
【補正対象項目名】００１９
【補正方法】変更
【補正の内容】
【００１９】
また、基準信号抽出手段は、上記水平方向色信号抽出手段の抽出する色信号より広い帯域を抽出し、上記縦ドット周波数成分検出手段と同じ遅延時間を付与する水平方向色信号抽出手段で構成されるものである。
【手続補正５】
【補正対象書類名】明細書
【補正対象項目名】００２０
【補正方法】変更
【補正の内容】
【００２０】
また、基準信号抽出手段は、垂直方向輝度信号成分を抽出する垂直方向輝度信号抽出手段と、水平方向輝度信号成分を抽出する水平方向輝度信号抽出手段と、上記抽出された垂直方向輝度信号成分と水平方向輝度信号成分の遅延時間を一致させた後これらを加算し輝度信号成分を出力する加算手段とを備えたものである。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】変更
【補正の内容】
【００２３】
また、比較手段は、上記色信号の垂直高周波成分または上記基準成分に対して重み付けする乗数器を備えたものである。
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００６６
【補正方法】変更
【補正の内容】
【００６６】
複合映像信号から色信号成分を抽出して色信号を出力する色信号抽出手段と、上記複合映像信号から上記色信号を減算して輝度信号を出力する輝度信号抽出手段と、上記複合映像信号からライン相関周波数の２分の１付近で、かつ色搬送周波数の３分の２付近の色信号の水平高周波数成分を縦ドット周波数成分として検出する縦ドット周波数成分検出手段と、上記複合映像信号の所定周波数領域の成分を抽出して基準信号として出力する基準信号抽出手段と、上記色信号の水平高周波数成分と上記基準信号の成分とを比較する比較手段とを備え、上記色信号抽出手段が、上記複合映像信号とライン遅延手段により遅延された複合映像信号から垂直方向の色副搬送波成分に相当する周波数成分を抽出する垂直方向色信号抽出手段と、上記垂直方向色信号抽出手段出力信号を入力し、水平方向の色副搬送波成分に相当する周波数成分を抽出する水平方向色信号抽出手段と、上記比較手段の出力が縦ドット周波数成分の方が多い状態を示すときには上記垂直方向色信号抽出手段出力信号側を選択し、上記色抽出手段の通過帯域に縦ドット周波数領域を含むよう切り替えるように構成されているので、隣り合う色信号の位相が１２０°異なるような場合（例えばイエロー＝マゼンタ間、あるいはブルー＝グリーン間で１２６°）縦ドットのない輝度信号色信号を分離することができる。
【手続補正１３】
【補正対象書類名】明細書
【補正対象項目名】００６８
【補正方法】変更
【補正の内容】
【００６８】
また、基準信号抽出手段を、上記水平方向色信号抽出手段の抽出する色信号より広い帯域を抽出し、上記縦ドット周波数成分検出手段と同じ遅延時間を付与して色信号の非相関同士を比較するよう構成したので色信号の微妙な変化に対しても誤検出をすることが少なく、縦ドットのない輝度信号色信号を分離することができる。
【手続補正１４】
【補正対象書類名】明細書
【補正対象項目名】００６９
【補正方法】変更
【補正の内容】
【００６９】
また、基準信号抽出手段を、垂直方向輝度信号成分を抽出する垂直方向輝度信号抽出手段と、水平方向輝度信号成分を抽出する水平方向輝度信号抽出手段と上記抽出された垂直方向輝度信号成分と水平方向輝度信号成分の遅延時間を一致させた後これらを加算し輝度信号成分を検出し、比較手段で色信号の水平高周波成分と比較して、色信号の水平高周波成分の方が大きいときは垂直方向色信号抽出手段により抽出された色信号を選択するようにしたので、横方向に色トランジェントによる縦ドットの発生が抑圧できる。
【手続補正１５】
【補正対象書類名】明細書
【補正対象項目名】００７０
【補正方法】削除
【補正の内容】
【手続補正１６】
【補正対象書類名】明細書
【補正対象項目名】００７１
【補正方法】削除
【補正の内容】
【手続補正１７】
【補正対象書類名】明細書
【補正対象項目名】００７２
【補正方法】変更
【補正の内容】
【００７２】
また、縦ドットのない輝度信号色信号分離を実現できることに加えて、上記色信号の垂直高周波成分または上記基準成分に対して重み付けするよう構成したので、発生するドット妨害とクロスカラーの量の配分を決めることができる。
【手続補正１８】
【補正対象書類名】明細書
【補正対象項目名】００７３
【補正方法】削除
【補正の内容】
【手続補正１９】
【補正対象書類名】明細書
【補正対象項目名】００７４
【補正方法】削除
【補正の内容】
【手続補正２０】
【補正対象書類名】明細書
【補正対象項目名】００７５
【補正方法】削除
【補正の内容】